(57)【要約】  鉄道車両用ブレーキシステムのための圧力等化弁装置は、それぞれ制御チャンバを有した保持弁（２）と膜通気弁（３）とを有している。保持弁（２）と通気弁（３）とは、各ソレノイド弁（６，１０）によって操作される。膜にかかる圧力差を減じるために、通気弁膜にかかる圧力をブレーキシリンダ圧と等化できるようにするために、通気弁の制御チャンバにさらなるソレノイド弁（９）が接続されている。その結果通気時間が改善される。
2021536402.tif 000002
【特許請求の範囲】
【請求項１】
ブレーキシリンダへの空気流を制御するように適合された鉄道車両用ブレーキシステムのためのブレーキ弁装置であって、それぞれが制御チャンバを有した保持弁（２）と通気弁（３）とを有しており、前記通気弁は膜弁であって、前記保持弁（２）と通気弁（３）とは、各ソレノイド弁（６，１０）によって操作されるブレーキ弁装置において、
前記膜にかかる圧力差を減じるために、前記通気弁膜にかかる圧力をブレーキシリンダ圧と等化できるようにするために、前記通気弁（３）の前記制御チャンバにさらなるソレノイド弁（９）が接続されていることを特徴とする、ブレーキ弁装置。
【請求項２】
前記さらなるソレノイド（９）は、前記保持膜弁（２）の出口に流体連通されている、請求項１記載のブレーキ弁装置。
【請求項３】
前記さらなるソレノイド（９）は、前記通気ソレノイドの入口に流体連通されている、請求項１または２記載のブレーキ弁装置。
【請求項４】
前記さらなるソレノイド弁（９）は、前記ブレーキシリンダ圧を受け取る、請求項１から３までのいずれか１項記載のブレーキ弁装置。
【請求項５】
使用中のブレーキを解除するために、前記制御チャンバに供給圧力を適用することにより、かつ前記保持ソレノイド弁（６）に通電することにより、前記保持膜は閉鎖状態に保持され、前記通気ソレノイド弁（１０）に通電することにより前記通気弁制御チャンバを排気することによって、ブレーキシリンダ内のブレーキ圧は大気へと放出される、請求項１から４までのいずれか１項記載のブレーキ弁装置。
【請求項６】
使用中に、前記ブレーキの適用に続いて前記ブレーキシリンダ内の圧力を保持するために、前記保持ソレノイド弁（６）に通電して、前記保持弁制御チャンバへの供給圧力の適用を可能にすることにより、前記保持膜は閉鎖され、次いで前記等化ソレノイド弁（９）に通電することにより、前記通気弁膜にかかる圧力は、前記ブレーキシリンダ圧と等化される、請求項１から５までのいずれか１項記載のブレーキ弁装置。
【発明の詳細な説明】
【技術分野】
【０００１】
本発明は、鉄道車両用の電空ブレーキシステムで使用するための弁に関する。
【０００２】
鉄道車両用ブレーキシステムは、通常は７年程度であるメンテナンス間隔を有する他の空気式のブレーキシステムと比較して、極めて長い耐用期間を有することを特徴としている。ブレーキシステムは安全性が重要であるため、構成部品は、明らかな安全要件のためだけではなく、他の車両と比較して現場でのメンテナンスの実施が困難であるということによっても、この耐用期間を確実に達成する必要がある。
【０００３】
この要件に加えて、特に旅客ルートにおける最新の列車には、車輪の滑走防止装置のような特徴を含むより高性能のブレーキシステムが求められている。車輪の滑走防止装置は、停止時間を減じるだけでなく、車輪滑走の際の軌道および車輪の損傷も減じ、安全性を損なうことなく、列車の高速化と省スペース化とを可能とするので、鉄道ネットワークのより多くの利用も促進する重要な安全向上措置である。
【０００４】
欧州特許第３１８３１４７号明細書には、車輪の滑走防止装置を有した鉄道車両用ブレーキシステムで使用するための空気式膜弁が説明されている。この設計はブレーキシステムの設計において進歩性を示したが、通気弁膜が開くことができる速度には限界を有しており、これによりさらなる性能向上は制限されている。
【０００５】
したがって、短縮された弁通気時間で動作することができる空気式弁の必要性がある。
【０００６】
本発明によれば、鉄道車両用ブレーキシステムのためのブレーキ弁装置であって、ブレーキシリンダへの空気流を制御するように適合されていて、それぞれ制御チャンバを有した保持弁と通気弁とを有しており、通気弁は膜弁であって、保持弁と通気弁とは、各ソレノイド弁によって操作されており、膜にかかる圧力差を減じるために、通気弁膜にかかる圧力をブレーキシリンダ圧と等化できるようにするために、通気弁の制御チャンバにさらなるソレノイド弁が接続されているブレーキ弁装置が提供される。
【０００７】
好適には、さらなるソレノイドは、保持膜弁の出口に流体連通されている。好適には、さらなるソレノイドは、通気ソレノイドの入口に流体連通されている。好適には、さらなるソレノイド弁は、ブレーキ圧を受け取る。
【０００８】
システムは、ブレーキシリンダを加圧および放圧するために使用される２つの膜空気弁を有している。制御チャンバ内の圧力は、供給圧力に接続されたソレノイド弁によって制御されている。通気膜弁の制御チャンバにはさらなるソレノイド弁が接続されており、このさらなるソレノイド弁は、膜表面にかかる圧力差を減じるために、膜にかかる圧力をブレーキシリンダ圧と等化することができる。
【０００９】
通気膜表面にかかる圧力の等化により、通気弁膜の開放に要する時間は明らかに減じられる。本発明の設計により、膜内に誘発される応力も大幅に減じられ、その結果、公知の解決手段と比較して動作耐用期間が延長される。
【００１０】
以下に、本発明の実施例を図面につきさらに詳しく説明する。
【図面の簡単な説明】
【００１１】
【図１】本発明による弁装置を概略的に示す図である。
【図２】動作線図を示す図である。
【００１２】
図１は、保持膜２と通気膜３とを有した弁ブロック１を備えた弁装置を概略的に示している。保持膜２の入口４は、チョークを介して供給圧力５に接続されていて、保持ソレノイド６によって操作される。
【００１３】
保持ソレノイド６には、供給圧力５からの圧力が供給される。この供給圧力は、通気ソレノイド１０に直列に接続されている等化ソレノイド９にも供給されている。等化ソレノイド９は、弁ブロック１に流体接続されていて、保持膜２の出口７からのブレーキ圧を受け取る。保持ソレノイドは、パイロット圧を保持膜２に供給し、保持膜は、ばね手段により閉鎖位置へと付勢される。
【００１４】
保持膜２の出口７は、ブレーキシリンダ８への出口に流体連通されていて、さらに、等化ソレノイド９と、通気膜３の入口とに流体連通されている。通気膜は、通気ソレノイド１０によってパイロット操作されて、通気膜の出口は、大気への排気部をなしている。
【００１５】
ブレーキ解除の際は、保持ソレノイド弁６に通電することにより、保持膜の制御チャンバに供給圧力がかけられて、保持膜２は閉鎖状態に保持される。通気ソレノイド弁１０の通電により、通気弁制御チャンバを排気することによって、ブレーキシリンダは、大気へと排気される。
【００１６】
ブレーキがかけられると、通気ソレノイド弁１０への通電をやめることにより、通気弁制御チャンバへ供給圧力５を加えることにより、通気膜３は閉じられる。保持ソレノイド弁６への通電をやめることにより、保持弁制御チャンバを排気することによって、保持弁膜２は開かれる。したがって、供給圧力５がブレーキシリンダへとかけられる。
【００１７】
ブレーキの適用に続いてブレーキシリンダ内の圧力を保持するために、保持ソレノイド弁６の通電により、保持弁制御チャンバへの供給圧力５の付与が可能となり、保持膜２は閉じられる。次いで、等化ソレノイド弁９の通電により、通気弁膜３にかけられている圧力を、ブレーキシリンダ圧となるように等化することができる。
【００１８】
ブレーキシリンダ内の圧力を排気するために、通気ソレノイド弁１０を開放することにより、通気弁制御チャンバが排気される。制御チャンバがブレーキシリンダ圧と等化されているので、膜にかけられている差圧に依存する弁を開放するためにかかる時間は、従来技術の設計と比較して減じられている。
【００１９】
排気状態から保持状態へと戻すために、通気ソレノイド弁１０および等化ソレノイド弁９への通電をやめることにより、通気弁制御チャンバへ供給圧力を加えることにより、通気弁３は最初に閉じられる。一定の時間経過後、等化ソレノイド弁９の通電により、通気膜にかけられている圧力を等化することができる。保持適用から圧力等化までの間の時間は、弁膜のサイズと設計とに依存している。
【００２０】
図２には、保持ソレノイドと等化ソレノイドとが、実質的に同時に通電されるソレノイド弁のための例示的な動作図が示されている。この場合、通気弁ソレノイドが通電されてから、一定期間Ｔ１後、等化弁の通電が遮断されて、通気膜操作後により高い圧力で通気を再び閉鎖する準備ができている。
【００２１】
Ｔ２は、圧力を等化するために等化ソレノイドが作動させられる前に、より高い圧力で、通気膜が閉じられたことを確認するための継続時間である。温度により膜弁のゴムの挙動が変化するので、期間Ｔ１およびＴ２は、状況に応じて変更可能である。大気温度、大気圧、および大気湿度における例としての時間は６０ｍｓである。
【図１】
2021536402.tif 000003
【図２】
2021536402.tif 000004
【国際調査報告】
2021536402.tif 000005
2021536402.tif 000006